(57)【要約】【課題】表示パネルを収容する筐体に形成された開口にスタンドの支柱を挿入して固定し、スタンドにより筐体を支持する場合に、スタンドを前後逆に筐体に固定する虞がない薄型表示装置を提供する。【解決手段】スタンド４０の四角柱状の支柱４２には、両側面の上端の背面側に突起４３、４３をそれぞれ突設する。筐体１０の下面には、支柱４２の上端の周囲の形状と略同じ形状となるように、切り欠き２１、２１が設けられた略矩形の開口２０を形成する。これにより、スタンド４０の支柱４２を開口２０から筐体１０内に挿入する場合に、突起４３、４３及び切り欠き２１、２１の位置を合わせなければ挿入することができなくなる。【選択図】図２
2007310318.tif 000002
【特許請求の範囲】
【請求項１】
表示パネルを収容し、前面から前記表示パネルを視認させる筐体と、該筐体に固定される支柱を有し、前記筐体を支持するスタンドとを備える薄型表示装置において、
前記筐体に形成され、前記スタンドの支柱が挿入される開口を備え、
前記支柱の一部又は全部は、軸に交差する方向の断面形状が、前後方向又は該方向の交差方向に関して非対称にしてあり、
前記開口は、前記支柱の前記非対称の部分の周囲を囲む形状にしてあること
を特徴とする薄型表示装置。
【請求項２】
前記筐体は略直方体形をなし、
前記開口は、前記筐体の下面に形成してある請求項１に記載の薄型表示装置。
【請求項３】
前記支柱は、周側面に設けられた突起を有し、
前記開口は、前記支柱の前記突起が設けられた部分の周囲を囲む形状にしてある請求項１又は請求項２に記載の薄型表示装置。
【請求項４】
前記支柱は、四角柱状をなし、一の側面が前面となるように前記筐体に固定されるようにしてあり、
前記突起は、前記前後方向の一方に寄せて、前記支柱の前面に隣り合う両側面にそれぞれ設けてある請求項３に記載の薄型表示装置。
【請求項５】
前記突起は、前記支柱の挿入方向の端部側に設けてある請求項３又は請求項４に記載の薄型表示装置。
【請求項６】
前記支柱は、前記前後方向に貫通孔が形成してあり、
前記筐体の後面には、前記開口から挿入された前記支柱の貫通孔に対応する位置に、貫通孔が形成してあり、
前記筐体内には、前記筐体の後面の貫通孔及び前記支柱の貫通孔を挿通するねじ部材が螺合するねじ穴部が設けてある請求項１乃至請求項５のいずれか１つに記載の薄型表示装置。
【発明の詳細な説明】
【技術分野】
【０００１】
本発明は、表示パネルを収容する筐体の開口から挿入されたスタンドによって、床上又は机上等の載置面上に支持される薄型表示装置に関する。
【背景技術】
【０００２】
近年、液晶ディスプレイ又はプラズマディスプレイ等の薄型表示装置が普及している。これらの薄型表示装置は、ブラウン管を用いた表示装置と比較して小型且つ軽量であり、より大画面の表示装置を実現できるという利点がある。薄型表示装置は表示面を有する本体部分が薄型であり、床上又は机上等の載置面上に自立することができないため、本体部分にスタンドを固定して載置面上に支持する構成として使用する場合が多い。また、壁などに掛けて使用する場合もある。
【０００３】
特許文献１においては、液晶パネルを収容する筐体の背面に、スタンドの一部分をなし、筐体とスタンドとを連結するスタンド兼連結部を設け、スタンドの支柱に、筐体のスタンド兼連結部を挿入する挿入孔を設け、スタンド兼連結部を挿入孔に挿入することで、スタンドの取り付け及び取り外しを容易に行うことができる薄型表示装置が提案されている。
【０００４】
しかし、この薄型表示装置は、スタンドを取り外して簡単に壁に掛けて使用することができるという利点があるが、筐体の背面にスタンド兼連結部が設けられているため、スタンド兼連結部の分だけ奥行きが増すという問題があった。
【特許文献１】特開２００５−１１５４０３公報
【発明の開示】
【発明が解決しようとする課題】
【０００５】
上述の問題を解決するため、液晶パネルを収容する筐体の下面に開口を形成し、この開口にスタンドの支柱を挿入して固定することにより、筐体を載置面上にスタンドで支持する構成とすることが考えられる。この場合、筐体の背面にスタンドを固定するための機構を設ける必要がないため、薄型表示装置の奥行きが増すことがない。
【０００６】
スタンドは、筐体を支持する支柱と、載置面に当接し、支柱が固定されるベース部とを有する構成であることが多く、ベース部は前後方向に関して非対称の形状であることが多い。筐体の下面に形成された開口にスタンドの支柱を挿入して固定する場合には、薄型表示装置の奥行きを減少させることが目的であるため、スタンドのベース部の後方への延出部分を可能な限り少なくすることが望ましい。しかし、ベース部の後方への延出部分を少なくすることによって、薄型表示装置が後方へ転倒しやすくなるため、スタンドは、筐体の重心を十分に考慮して、筐体をバランスよく支持できるよう設計する必要がある。
【０００７】
しかしながら、筐体の重心を十分に考慮してスタンドを設計した場合であっても、スタンドを前後逆にして筐体の開口に挿入したときには、重心の位置がずれるため、薄型表示装置がより転倒しやすくなり、転倒により薄型表示装置が破損する虞がある。
【０００８】
本発明は、斯かる事情に鑑みてなされたものであって、その目的とするところは、表示パネルを収容する筐体に開口を形成し、開口からスタンドの支柱を挿入して固定する構成とすると共に、支柱の一部又は全部の断面形状を前後方向又は前後方向に交差する方向（以下、左右方向という）に関して非対称とし、筐体の開口を支柱の非対称部分の周囲を囲む形状とすることにより、スタンドを前後逆に筐体の開口へ挿入する虞がない薄型表示装置を提供することにある。
【０００９】
また本発明の他の目的とするところは、筐体が略直方体形をなす場合に、開口を筐体の下面に形成する構成とすることにより、装置の奥行きが小さい薄型表示装置を提供することにある。
【００１０】
また本発明の他の目的とするところは、スタンドの支柱の周側面に突起を設け、筐体の開口を支柱の突起が設けられた部分の周囲を囲む形状とすることにより、支柱の断面形状を簡単に非対称とすることができ、スタンドを前後逆に筐体の開口へ挿入する虞がない薄型表示装置を提供することにある。
【００１１】
また本発明の他の目的とするところは、支柱が四角柱状をなし、一の側面が前面側となるように筐体に固定される場合に、支柱の突起を、前後方向のいずれか一方に寄せて、左右の両側面にそれぞれ設ける構成とすることにより、支柱の断面形状を前後方向に関して非対称とすることができ、スタンドを前後逆に筐体の開口へ挿入する虞がない薄型表示装置を提供することにある。
【００１２】
また本発明の他の目的とするところは、支柱の筐体への挿入方向の端部に突起を設ける構成とすることにより、支柱を筐体の開口へ挿入する際に、確実にスタンドの前後の向きを認識することができ、スタンドを前後逆に筐体の開口へ挿入する虞がない薄型表示装置を提供することにある。
【００１３】
また本発明の他の目的とするところは、支柱に形成された貫通孔と筐体の背面に形成された貫通孔とをねじ部材により挿通し、筐体内に設けられたねじ穴に螺合させて支柱を固定する構成とすることにより、筐体の開口から挿入された支柱を確実に筐体に固定することができる薄型表示装置を提供することにある。
【課題を解決するための手段】
【００１４】
本発明に係る薄型表示装置は、表示パネルを収容し、前面から前記表示パネルを視認させる筐体と、該筐体に固定される支柱を有し、前記筐体を支持するスタンドとを備える薄型表示装置において、前記筐体に形成され、前記スタンドの支柱が挿入される開口を備え、前記支柱の一部又は全部は、軸に交差する方向の断面形状が、前後方向又は該方向の交差方向に関して非対称にしてあり、前記開口は、前記支柱の前記非対称の部分の周囲を囲む形状にしてあることを特徴とする。
【００１５】
本発明においては、表示パネルを収容する筐体に開口を形成し、この開口にスタンドの支柱を挿入して固定し、スタンドを用いて筐体を載置面上に支持する。スタンドの支柱は、前後方向又は左右方向の断面形状が非対称となるように形成する。筐体の開口は、スタンドの支柱の非対称部分の周囲を囲む形状に形成する。これにより、スタンドの支柱を開口に挿入する場合に、挿入可能なスタンドの向きが限定されるため、前後を逆にしてスタンドを筐体に固定することができなくなる。
【００１６】
また、本発明に係る薄型表示装置は、前記筐体が略直方体形をなし、前記開口は、前記筐体の下面に形成してあることを特徴とする。
【００１７】
本発明においては、筐体が略直方体形をなす場合、スタンドの支柱を挿入する開口を筐体の下面に形成する。筐体の背面にスタンドの支柱を固定する機構を設ける場合と比較して、薄型表示装置の奥行きが小さくなる。
【００１８】
また、本発明に係る薄型表示装置は、前記支柱が、周側面に設けられた突起を有し、前記開口は、前記支柱の前記突起が設けられた部分の周囲を囲む形状にしてあることを特徴とする。
【００１９】
本発明においては、スタンドの支柱の周側面に突起を設け、筐体の開口を支柱の突起が設けられた部分の周囲を囲む形状に形成する。支柱の周側面に突起を設けることにより、支柱の断面形状を非対称とすることができ、筐体の開口へ支柱を挿入する場合の前後の向きを限定することができる。
【００２０】
また、本発明に係る薄型表示装置は、前記支柱が、四角柱状をなし、一の側面が前面となるように前記筐体に固定されるようにしてあり、前記突起は、前記前後方向の一方に寄せて、前記支柱の前面に隣り合う両側面にそれぞれ設けてあることを特徴とする。
【００２１】
本発明においては、支柱を四角柱状とし、一の側面が筐体の前面側となるように、支柱を筐体に固定する。支柱の突起は、左右の両側面に、前後方向のいずれか一方へ寄せてそれぞれ設ける。支柱の断面形状が前後方向に関して非対称となり、筐体の開口へ支柱を挿入する場合の前後の向きを限定することができる。また、左右方向に関しては支柱の断面形状を対称とすることができ、支柱の前後方向及び左右方向を認識しやすくできる。
【００２２】
また、本発明に係る薄型表示装置は、前記突起が、前記支柱の挿入方向の端部側に設けてあることを特徴とする。
【００２３】
本発明においては、支柱の突起を、支柱の筐体への挿入方向の端部側に設ける。これにより、筐体の開口へスタンドの支柱を挿入する場合には、支柱の挿入前又は挿入後すぐに、支柱の向きが正しいか否かを認識することができる。
【００２４】
また、本発明に係る薄型表示装置は、前記支柱が、前記前後方向に貫通孔が形成してあり、前記筐体の後面には、前記開口から挿入された前記支柱の貫通孔に対応する位置に、貫通孔が形成してあり、前記筐体内には、前記筐体の後面の貫通孔及び前記支柱の貫通孔を挿通するねじ部材が螺合するねじ穴部が設けてあることを特徴とする。
【００２５】
本発明においては、筐体の背面及び支柱に貫通孔を形成し、貫通孔にねじ部材を挿通し、筐体内に設けられたねじ穴にねじ部材を螺合させて支柱を筐体に固定する。支柱を筐体の開口から抜脱不可能に強固に固定することができる。
【発明の効果】
【００２６】
本発明による場合は、表示パネルを収容する筐体に開口を形成し、開口からスタンドの支柱を挿入して固定する構成とすると共に、支柱の一部又は全部の断面形状を前後方向又は左右方向に関して非対称とし、筐体の開口を支柱の非対称部分の周囲を囲む形状とすることにより、スタンドの支柱を開口に挿入する場合に、挿入可能なスタンドの前後の向きが限定され、前後の向きを逆にしてスタンドを筐体に固定することができず、スタンドが正しい向きに確実に固定されるため、スタンドが安定して筐体を支持することができ、薄型表示装置が転倒する虞がなく、薄型表示装置の安全性及び信頼性を向上することができる。
【００２７】
また、本発明による場合は、筐体が略直方体形をなす場合に、開口を筐体の下面に形成する構成とすることにより、筐体の背面にスタンドの支柱を固定する機構を設ける場合と比較して、薄型表示装置の奥行きが小さくなるため、より狭い場所に薄型表示装置を載置することができ、薄型表示装置の利便性を向上することができる。
【００２８】
また、本発明による場合は、スタンドの支柱の周側面に突起を設け、筐体の開口を支柱の突起が設けられた部分の周囲を囲む形状とすることにより、支柱の断面形状を非対称とすることができ、筐体の開口へ支柱を挿入する場合の前後の向きを限定することができるため、スタンドが確実に安定して筐体を支持することができ、薄型表示装置が転倒する虞がなく、薄型表示装置の安全性及び信頼性を向上することができる。
【００２９】
また、本発明による場合は、支柱が四角柱状をなし、一の側面が前面側となるように筐体に固定される場合に、支柱の左右の両側面に、前後方向のいずれか一方へ寄せて突起をそれぞれ設ける構成とすることにより、支柱の断面形状が前後方向に関して非対称となり、筐体の開口へ支柱を挿入する場合の前後の向きを限定することができるため、スタンドが確実に安定して筐体を支持することができ、薄型表示装置が転倒する虞がなく、薄型表示装置の安全性及び信頼性を向上することができる。また、左右方向に関しては支柱の断面形状を対称とすることができるため、支柱の前後方向及び左右方向を認識しやすくでき、筐体にスタンドを固定する際の薄型表示装置の利便性を向上することができる。
【００３０】
また、本発明による場合は、支柱の突起を、支柱の筐体への挿入方向の端部側に設ける構成とすることにより、筐体の開口へスタンドの支柱を挿入する場合には、支柱の挿入前又は挿入後すぐに、支柱の向きが正しいか否かを認識することができるため、筐体にスタンドを固定する際の薄型表示装置の利便性を向上することができる。
【００３１】
また、本発明による場合は、支柱に形成された貫通孔と筐体の背面に形成された貫通孔とをねじ部材により挿通し、筐体内に設けられたねじ穴に螺合させて支柱を固定する構成とすることにより、支柱を筐体の開口から抜脱不可能に強固に固定することができるため、薄型表示装置の安全性及び信頼性を向上することができる。
【発明を実施するための最良の形態】
【００３２】
以下、本発明をその実施の形態を示す図面に基づき具体的に説明する。図１は、本発明に係る薄型表示装置の背面斜視図である。図において１０は略矩形の板状をなす合成樹脂製の筐体であり、内部に液晶パネル（図示せず）を収容し、筐体１０の正面には図示しない表示面が設けられている。筐体１０の背面の略中央には略矩形の凹部１４が形成されており、凹部１４に金具を取り付けるなどして、薄型表示装置を壁に掛けて使用することができるようにしてある。また、筐体１０の長辺側且つ表示面の下側の一側面、即ち薄型表示装置の使用状態での下面（以下、単に下面という）には開口２０が形成されており、床上又は机上等の載置面上に筐体１０を支持するスタンド４０の支柱４２が、開口２０から筐体１０内に挿入され、筐体１０の背面を貫通する４つのねじ部材５０、５０…により筐体１０に固定されている。スタンド４０は、開口２０から筐体１０内に挿入される支柱４２と、支柱４２が立設され、載置面に当接して筐体１０を支持するベース部４１とを有する構成である。
【００３３】
図２は、本発明に係る薄型表示装置の筐体１０からスタンド４０を取り外した状態を示す背面斜視図である。筐体１０の背面には４つの貫通孔１６、１６…が形成されており、スタンド４０の支柱４２の背面には、筐体１０の貫通孔１６、１６…に対応する位置に、４つの貫通孔４４、４４…が形成されている。ねじ部材５０、５０…は、筐体１０の貫通孔１６、１６…を挿通し、開口２０から筐体１０内に挿入されたスタンド４０の支柱４２の貫通孔４４、４４…を挿通し、筐体１０内のねじ穴（後述する）に螺合して、スタンド４０を筐体１０に固定するようにしてある。よって、筐体１０の背面からねじ部材５０、５０…を取り外すことによって、スタンド４０を筐体１０の開口２０から抜き取ることができるようにしてある。
【００３４】
スタンド４０のベース部４１は略弓形の板体であり、下面が載置面との当接面をなし、上面に支柱４２が略垂直に立設されている。また、ベース部４１の両端部分が正面側であり、中央部分が背面側である。ベース部４１に立設された支柱４２は四角柱状をなし、正面及び背面がこれに交差する両側面（以下、左右側面という）より大きく、背面から正面へ貫通する４つの貫通孔４４、４４…が形成されている。また、左右側面には、上端の背面側に略直方体型の突起４３、４３がそれぞれ突設されている。
【００３５】
筐体１０の下面に形成された開口２０は、筐体１０の下面の長手方向に長い略矩形の開口を構成する両短辺の背面側の端部に、小さな略矩形の切り欠き２１、２１が形成された形状であり、スタンド４０の支柱４２の突起４３、４３が設けられた部分の断面形状と略同じ形状、即ち支柱４２の上端の周囲の形状と略同じ形状にしてある。これにより、スタンド４０の支柱４２を開口２０から筐体１０内へ挿入する場合には、開口２０の切り欠き２１、２１と支柱４２の突起４３、４３との位置を合わせなければ挿入することができないようにしてある。
【００３６】
図３は、本発明に係る薄型表示装置の筐体１０を分解した状態を示す背面斜視図である。筐体１０は、液晶パネル及び回路基板等が固定される正面側筐体１１と、正面側筐体１１に固定された液晶パネル及び回路基板等を背面から覆う背面側筐体１２とに分割することができ、筐体１０を正面側筐体１１及び背面側筐体１２に分割した場合には、筐体１０の下面の開口２０もまた正面側部分２０ａ（図４にて図示する）及び背面側部分２０ｂに分割されるようにしてある。また、液晶パネル及び回路基板等は金属製の２つのアーム部材１５、１５を用いて正面側筐体１１に固定されており、アーム部材１５、１５にはスタンド４０の支柱４２を固定するための金具３０が固定されている。
【００３７】
図４は、本発明に係る薄型表示装置の金具３０近傍の拡大斜視図である。金具３０は、略矩形の金属板を略コ字型に屈曲させたものであり、略矩形の底板部３０ａと、底板部３０ａに略直交し、底板部３０ａを間に対向する略矩形の２つの側板部３０ｂ及び３０ｃとを有している。金具３０は、開放部分が開口２０へ向くように、一方の側板部３０ｂにて正面側筐体１１のアーム部材１５、１５に固定されている。
【００３８】
アーム部材１５、１５に固定された金具３０の側板部３０ｂ及び３０ｃの間には、筐体１０の下面の一部分をなし、開口２０の正面側部分２０ａが設けられた外面部分１３ａと、外面部分１３ａに略直交し、開口２０の正面側部分２０ａに連通する内面部分１３ｂとを有するカバー部材１３が、金具３０の側板部３０ｂ及び３０ｃに内面部分１３ｂが略平行となるように設けられている。図５は、本発明に係る薄型表示装置のカバー部材１３を取り外した状態を示す金具３０近傍の拡大斜視図である。
【００３９】
金具３０の側板部３０ｃには、４つの貫通孔３１、３１…が角部分の近傍にそれぞれ形成されており、側板部３０ｂには、側板部３０ｃの貫通孔３１、３１…に対向する位置に４つのねじ穴３２、３２…が形成されている。また、カバー部材１３の内面部分１３ｂには、金具３０の側板部３０ｃの貫通孔３１、３１…に対応する位置に４つの貫通孔１３ｃ、１３ｃ…が形成されている。なお、金具３０の側板部３０ｃの貫通孔３１、３１…と、側板部３０ｂのねじ穴３２、３２…と、カバー部材１３の貫通孔１３ｃ、１３ｃ…とは、正面側筐体１１及び背面側筐体１２を一体として筐体１０を構成した場合に、筐体１０の背面に形成された貫通孔１６、１６…と中心軸が一致し、貫通孔１６、１６…から挿入されたねじ部材５０、５０…がねじ穴３２、３２…に螺合できるようにしてある。
【００４０】
また、スタンド４０の支柱４２を開口２０から筐体１０内へ挿入した場合、支柱４２は金具３０の側板部３０ｃ及びカバー部材１３の内面部分１３ｂの間に挟まれ、支柱４２の上端が金具３０の底板部３０ａに当接する位置にて、支柱４２の貫通孔４４、４４…が側板部３０ｃの貫通孔３１、３１…及びカバー部材１３の貫通孔１３ｃ、１３ｃ…に連通するようにしてある。これにより、ねじ部材５０、５０…は、筐体１０の背面の貫通孔１６、１６…、金具３０の側板部３０ｃの貫通孔３１、３１…、スタンド４０の支柱４２の貫通孔４４、４４…、カバー部材１３の貫通孔１３ｃ、１３ｃ…の順に各貫通孔を挿通した後、金具３０の側板部３０ｂのねじ穴３２、３２…に螺合するため、スタンド４０を筐体１０に固定することができる。
【００４１】
以上の構成の薄型表示装置においては、スタンド４０の支柱４２の上端に突起４３、４３を設け、筐体１０の開口２０に切り欠き２１、２１を形成し、突起４３、４３が切り欠き２１、２１を通ることによって支柱４２を開口２０から筐体１０の内部に挿入できる構成とすることにより、スタンド４０を誤って逆向きに挿入することを防止できる。
【００４２】
なお、本実施の形態においては、薄型表示装置を液晶パネルを備える液晶ディスプレイとしたが、これに限るものではなく、例えばプラズマディスプレイなどの他の薄型表示装置であっても同様の構成を適用することが可能である。また、筐体１０を合成樹脂製とし、アーム部材１５、１５及び金具３０を金属製としたが、これらの材質は一例であって、これに限るものではない。また、金具３０は必ずしも必要ではなく、薄型表示装置が金具３０を備えずに、開口２０から挿入されたスタンド４０の支柱４２を筐体１０に直接固定する構成としてもよい。また、支柱４２及び開口２０の形状は、図２に示す形状に限るものではなく、以下に示す変形例のように、支柱の断面形状が非対称な形状であり、開口がこの断面形状と略同じ形状であればよい。
【００４３】
（変形例１）
図６は、本発明の変形例１に係る薄型表示装置の支柱及び開口の構成を模式的に示す斜視図である。変形例１に係る薄型表示装置のスタンドの支柱１４２は、四角柱状をなし、一側面の上端に略直方体型の突起１４３が突設されている。筐体１０の下面に形成された開口１２０は、略矩形の開口を構成する一辺に略矩形の切り欠き１２１が形成された形状であり、支柱１４２の突起１４３が設けられた部分の断面形状と略同じ形状、即ち支柱１４２の上端の周囲の形状と略同じ形状にしてある。これにより、支柱１４２を開口１２０から筐体１０内へ挿入する場合には、開口１２０の切り欠き１２１と支柱１４２の突起１４３との位置を合わせなければ挿入することができないため、スタンドを誤って逆向きに挿入することを防止できる。なお、突起１４３の位置は図６に示すものに限らず、支柱１４２の周囲の任意の位置に設けることができ、突起１４３の位置に合わせて開口１２０の切り欠き１２１の位置を決定すればよい。
【００４４】
（変形例２）
図７は、本発明の変形例２に係る薄型表示装置の支柱及び開口の構成を模式的に示す斜視図である。変形例２に係る薄型表示装置のスタンドの支柱２４２は、四角柱状をなしているが、挿入方向に垂直な方向での断面形状が略台形をなしている。また、筐体１０の下面に形成された開口２２０は、支柱２４２の断面形状と略同じ形状にしてある。これにより、支柱２４２を開口２２０から筐体１０内へ挿入する場合には、台形の上底及び下底の位置を合わせなければ挿入することができないため、スタンドを誤って逆向きに挿入することを防止できる。
【図面の簡単な説明】
【００４５】
【図１】本発明に係る薄型表示装置の背面斜視図である。
【図２】本発明に係る薄型表示装置の筐体からスタンドを取り外した状態を示す背面斜視図である。
【図３】本発明に係る薄型表示装置の筐体を分解した状態を示す背面斜視図である。
【図４】本発明に係る薄型表示装置の金具近傍の拡大斜視図である。
【図５】本発明に係る薄型表示装置のカバー部材を取り外した状態を示す金具近傍の拡大斜視図である。
【図６】本発明の変形例１に係る薄型表示装置の支柱及び開口の構成を模式的に示す斜視図である。
【図７】本発明の変形例２に係る薄型表示装置の支柱及び開口の構成を模式的に示す斜視図である。
【符号の説明】
【００４６】
１０  筐体
１１  正面側筐体
１２  背面側筐体
１３  カバー部材
１３ｃ  貫通孔
１６  貫通孔
２０  開口
２１  切り欠き
３０  金具
３１  貫通孔
３２  ねじ穴
４０  スタンド
４１  ベース部
４２  支柱
４３  突起
４４  貫通孔
５０  ねじ部材
１２０  開口
１２１  切り欠き
１４２  支柱
１４３  突起
２２０  開口
２４２  支柱
【図１】
2007310318.tif 000003
【図２】
2007310318.tif 000004
【図３】
2007310318.tif 000005
【図４】
2007310318.tif 000006
【図５】
2007310318.tif 000007
【図６】
2007310318.tif 000008
【図７】
2007310318.tif 000009